(57)【要約】【課題】介助者にとって介助する際の利便性及び効率が向上される担架を提供する。【解決手段】担架本体と、前記担架本体の側部に回動可能に設けられて開閉可能な第１のフェンス及び第２のフェンスと、前記第２のフェンスを開く方向に付勢させることで前記第２のフェンスを前記第１のフェンスの内側に当接させる付勢手段と、を備える担架としている。【選択図】図２
2015054014.tif 000002
【特許請求の範囲】
【請求項１】
担架本体と、
前記担架本体の側部に回動可能に設けられて開閉可能な第１のフェンス及び第２のフェンスと、
前記第２のフェンスを開く方向に付勢させることで前記第２のフェンスを前記第１のフェンスの内側に当接させる付勢手段と、
を備えることを特徴とする担架。
【請求項２】
前記第２のフェンスの一部が前記第１のフェンスに重なって当接されることを特徴とする請求項１に記載の担架。
【請求項３】
前記第１のフェンスが起立した閉じた状態で前記第１のフェンスをロックするロック手段を更に備えることを特徴とする請求項１又は請求項２に記載の担架。
【請求項４】
前記第１のフェンスは下肢用サイドフェンスであり、前記第２のフェンスは上肢用サイドフェンスであることを特徴とする請求項１〜請求項３のいずれか１項に記載の担架。
【請求項５】
前記担架本体は、第１の部分と、前記第１の部分に対して起こすことが可能な第２の部分と、を備え、
前記第２の部分が起こされた状態で、前記第２のフェンスが前記付勢手段による付勢によって前記第１のフェンスの内側に当接されることを特徴とする請求項１〜請求項４のいずれか１項に記載の担架。
【発明の詳細な説明】
【技術分野】
【０００１】
本発明は、担架に関するものである。
【背景技術】
【０００２】
従来、介助用担架においては、担架上に載せられた高齢者や身体障害者等の被介助者の脱落を抑制するため、担架の両側にサイドフェンスが設けられる。
【０００３】
例えば、特許文献１には、担架本体の両側において上肢用と下肢用それぞれのサイドフェンスが設けられた入浴用担架が開示されている。そして、上肢用サイドフェンスと下肢用サイドフェンスのそれぞれについて二重ロック機構が設けられている。二重ロック機構とは、サイドフェンスをロックするための第１のロック機構に加え、第１のロック機構をロックするための第２のロック機構を更に備えたものである。
【先行技術文献】
【特許文献】
【０００４】
【特許文献１】特開２００６−３４４０６号公報
【発明の概要】
【発明が解決しようとする課題】
【０００５】
上記特許文献１の入浴用担架は、担架上の被介助者が誤ってサイドフェンスのロック機構を解除してしまうことを抑制する点で有効なものであった。しかしながら、被介助者を搬送用の担架や車椅子から上記特許文献１の入浴用担架に移乗させる、またはその逆の際、上肢用サイドフェンスと下肢用サイドフェンスの各々のロック機構を別々に解除及びロックする必要があり、介助者にとって面倒で効率が低くなるといった課題もあった。
【０００６】
上記状況に鑑み、本発明は、介助者にとって介助する際の利便性及び効率が向上される担架を提供することを目的とする。
【課題を解決するための手段】
【０００７】
上記目的を達成するために本発明の担架は、
担架本体と、
前記担架本体の側部に回動可能に設けられて開閉可能な第１のフェンス及び第２のフェンスと、
前記第２のフェンスを開く方向に付勢させることで前記第２のフェンスを前記第１のフェンスの内側に当接させる付勢手段と、
を備える構成としている（第１の構成）。
【０００８】
このような構成によれば、介助者によって第１のフェンスが開閉されると、それと同時に第２のフェンスが第１のフェンスに当接しつつ開閉するので、介助者にとって介助する際の利便性及び効率が向上される。
【０００９】
また、上記第１の構成において、前記第２のフェンスの一部が前記第１のフェンスに重なって当接される構成としてもよい（第２の構成）。
【００１０】
このような構成によれば、第１のフェンスが開閉されると、それと同時に第２のフェンスの一部が第１のフェンスに重なって当接しつつ第２のフェンスが開閉される。
【００１１】
また、上記第１又は第２の構成において、前記第１のフェンスが起立した閉じた状態で前記第１のフェンスをロックするロック手段を更に備えることとしてもよい（第３の構成）。
【００１２】
このような構成によれば、第１のフェンスを起立した状態でロックすれば、第２のフェンスは付勢手段による付勢によって第１のフェンスに当接して保持される。つまり、第２のフェンスも起立した状態で保持される。
【００１３】
また、上記第１〜第３のいずれかの構成において、前記第１のフェンスは下肢用サイドフェンスであり、前記第２のフェンスは上肢用サイドフェンスであることとしてもよい（第４の構成）。
【００１４】
このような構成によれば、介助者が直接支持する下肢用サイドフェンスは、上肢用サイドフェンスよりもサイズを大きくできるので、介助者にとってサイドフェンスの開閉が容易となる。
【００１５】
また、上記第１〜第４のいずれかの構成において、前記担架本体は、第１の部分と、前記第１の部分に対して起こすことが可能な第２の部分と、を備え、
前記第２の部分が起こされた状態で、前記第２のフェンスが前記付勢手段による付勢によって前記第１のフェンスの内側に当接されることとしてもよい（第５の構成）。
【００１６】
このような構成によれば、被介助者を起こされた第２の部分にもたれかけるよう移乗させる際、第１のフェンスを開閉させることで同時に第２のフェンスも開閉するので、介助者にとって利便性及び効率が向上される。
【発明の効果】
【００１７】
本発明の担架によれば、介助者にとって介助する際の利便性及び効率が向上される。
【図面の簡単な説明】
【００１８】
【図１】本発明の一実施形態に係る入浴用担架の上面図である（サイドフェンス起立状態）。
【図２】本発明の一実施形態に係る入浴用担架の側面図である（サイドフェンス起立状態）。
【図３】本発明の一実施形態に係る入浴用担架における上肢用サイドフェンスの回動機構の構成図である。
【図４】本発明の一実施形態に係る入浴用担架の上面図である（サイドフェンス転倒状態）。
【図５】本発明の一実施形態に係る入浴用担架の側面図である（サイドフェンス転倒状態）。
【図６】本発明の一実施形態に係る入浴用担架の側面図である（リクライニング状態）。
【発明を実施するための形態】
【００１９】
以下に本発明の一実施形態について図面を参照して説明する。本発明の一実施形態に係る入浴用担架の上面図を図１に、側面図を図２にそれぞれ示す。なお、図１及び図２は、入浴用担架のサイドフェンスが起立した状態を示す。また、図１は、担架長手方向（図１の紙面左右方向）に伸びる中心線の一方側のみを示し、他方側については図示されたものと対称的に構成される（以降の上面図についても同様である）。
【００２０】
本実施形態に係る入浴用担架は、高齢者や身体障害者等の被介助者を担架に載せたままの状態で入浴させるためのものである。この入浴用担架は、担架本体１と、担架本体１の上面に敷設されるマット２と、被介助者の頭部を載せるための頭部支持部３と、被介助者を担架本体１に固定するためのバンド４を備えている。
【００２１】
また、被介助者の転落を防止するため、担架本体１の上半身側の側部に、担架長手方向の軸周りに回動可能で担架本体１の上面に対して略垂直に起立した状態を取ることができる上肢用サイドフェンス５が設けられる。同様に、担架本体１の下半身側の側部に、担架長手方向の軸周りに回動可能で担架本体１の上面に対して略垂直に起立した状態を取ることができる下肢用サイドフェンス６が設けられる。
【００２２】
担架本体１は、分割された上半身部１ａと下半身部１ｂで構成され、上半身部１ａと下半身部１ｂの境界部分に支軸９が設けられ、支軸９周りに上半身部１ａを下半身部１ｂに対して起こすことが可能となっている（後述する図６参照）。これにより、被介助者が上半身部１ａに背中をもたれかけることができるリクライニング機能が実現される。また、上肢用サイドフェンス５は上半身部１ａに対して回動可能に固定され、下肢用サイドフェンス６は下半身部１ｂに対して回動可能に固定される。
【００２３】
下肢用サイドフェンス６を回動可能とする回転部に二重ロック機構７が設けられる。二重ロック機構７は、例えば上記特許文献１に記載の構成を採ることができる。具体的には、二重ロック機構７は、第１のロック機構と第２のロック機構から成る。第２のロック機構において、介助者が押し子を担架本体１に当接するまで押し込むと第２のロック機構が解除される。この状態で下肢用サイドフェンス６を図２の左方向にスライドさせると、下肢用サイドフェンス６が回動可能となり起立状態から転倒させることができ（第１のロック機構の解除）、押し子の位置は機械的に保持される。
【００２４】
また、転倒している下肢用サイドフェンス６を起立させ、下肢用サイドフェンス６を図２の右方向にスライドさせると、下肢用サイドフェンス６は回動しないようロックされる（第１のロック機構のロック）。このスライドの際に、押し子は付勢によってロック位置に戻り、第２のロック機構はロック状態となる。
【００２５】
なお、下肢用サイドフェンス６用に設けるロック機構は、多重ロック機構に限らず、一重のロック機構であってもよい。また、ロック機構は、スライド方式に限らず、引き上げ方式であってもよい。
【００２６】
また、上肢用サイドフェンス５を回動可能とする回動機構８が担架本体１（上半身部１ａ）の側部に設けられる。回動機構８の詳細構成を示す側面図を図３に示す。
【００２７】
図３に示すように、回動機構８は、担架本体１（上半身部１ａ）の側部に固定された軸受部材８ａと、軸受部材８ａの左右両側の軸受部に端部が嵌合されて固定されたロッド軸８ｂと、一端部がロッド軸８ｂに回動可能に嵌合されて他端部が上肢用サイドフェンス５の下部にネジ止めで接続された回転継手８ｃと、ロッド軸８ｂに通され一端が回転継手８ｃに他端が軸受部材８ａに接続されたねじりコイルばね８ｄを備えている。上肢用サイドフェンス５は、ねじりコイルばね８ｄによって常に開く方向（起立状態から外側へ転倒する方向）へ付勢される。なお、上肢用サイドフェンス５単独でのロック機構は有していない。
【００２８】
下肢用サイドフェンス６を起立させて二重ロック機構７がロックされた状態（図１及び図２の状態）において、上肢用サイドフェンス５の端部が下肢用サイドフェンス６の内側で下肢用サイドフェンス６と重なる。そして、上肢用サイドフェンス５の付勢により重なり領域Ｓ（図２）において上肢用サイドフェンス５が下肢用サイドフェンス６に当接して保持される。
【００２９】
ここで、二重ロック機構７を解除して下肢用サイドフェンス６を外側へ転倒させると、上肢用サイドフェンス５も付勢によって下肢用サイドフェンス６に当接しつつ転倒する。下肢用サイドフェンス６を担架本体１の上面に略平行となるまで転倒させた状態を図４（上面図）に示す。また、下肢用サイドフェンス６を更に担架本体１の上面に対して略垂直方向に垂れ下がるまで転倒させた状態を図５（側面図）に示す。
【００３０】
また逆に下肢用サイドフェンス６を閉める場合、下肢用サイドフェンス６を持ち上げて回動させると、上肢用サイドフェンス５も付勢によって下肢用サイドフェンス６に当接しつつ持ち上がって回動する。そして、下肢用サイドフェンス６を起立する状態（図２）まで回動させて二重ロック機構７をロックすれば、上肢用サイドフェンス５は付勢によって下肢用サイドフェンス６に当接した状態で保持される。つまり、上肢用サイドフェンス５は起立した状態で保持される。
【００３１】
従って、介助者は、被介助者を入浴用担架に移乗させる際に、下肢用サイドフェンス６を開くだけで上肢用サイドフェンス５も同時に開くことができ、逆に下肢用サイドフェンス６を閉じるだけで上肢用サイドフェンス５も同時に閉じることができる。よって、介助者にとって介助する際の利便性及び効率が向上される。
【００３２】
また、先述した通り、本実施形態に係る入浴用担架では、担架本体１の上半身部１ａを支軸９周りに下半身部１ｂに対して起こした状態を取ることができるリクライニング機能を有する。図６に示すリクライニング状態において、下肢用サイドフェンス６を起立した状態で二重ロック機構７がロックされていると、上肢用サイドフェンス５は付勢によって重なり領域Ｐで下肢用サイドフェンス６と当接して保持される。
【００３３】
ここで、二重ロック機構７を解除して下肢用サイドフェンス６を転倒させると、上肢用サイドフェンス５も付勢によって下肢用サイドフェンス６に当接しつつ転倒して開く。逆に下肢用サイドフェンス６を持ち上げると、上肢用サイドフェンス５も付勢によって下肢用サイドフェンス６に当接しつつ持ち上がって閉じる。
【００３４】
従って、被介助者を起こした上半身部１ａにもたれかけるように移乗させる際に、介助者の利便性及び介助の効率が向上される。
【００３５】
以上、本発明の実施形態について説明したが、本発明の趣旨の範囲内であれば、実施形態は種々の変形が可能である。
【００３６】
例えば、上述した実施形態とは逆に、上肢用サイドフェンス５側にロック機構を設け、下肢用サイドフェンス６側にねじりコイルばねを用いた回動機構を設け、上肢用サイドフェンス５の内側に下肢用サイドフェンス６が当接する形態を採用してもよい。これにより、上肢用サイドフェンス５を開閉するだけで下肢用サイドフェンス６を同時に開閉できる。但し、先述した実施形態のように下肢用サイドフェンス６側にロック機構を設けるほうが、介助者が直接支持する下肢用サイドフェンス６が上肢用サイドフェンス５よりもサイズが大きいので、サイドフェンスの開閉が行い易く望ましい。
【符号の説明】
【００３７】
１  担架本体
１ａ  上半身部
１ｂ  下半身部
２  マット
３  頭部支持部
４  バンド
５  上肢用サイドフェンス
６  下肢用サイドフェンス
７  二重ロック機構
８  回動機構
８ａ  軸受部材
８ｂ  ロッド軸
８ｃ  回転継手
８ｄ  ねじりコイルばね
９  支軸
【図１】
2015054014.tif 000003
【図２】
2015054014.tif 000004
【図３】
2015054014.tif 000005
【図４】
2015054014.tif 000006
【図５】
2015054014.tif 000007
【図６】
2015054014.tif 000008